(57)【要約】  本発明は、多用途熱器具に関し、下部の第１の加熱部と上部の第２の加熱部及び前記第１、第２の加熱部の間に空間を形成するように第１の加熱部の一側端と第２の加熱部の一側端とを垂直に連結する支柱で構成され、下部の第１の加熱部を通じて飲食物の調理ができるようにすると同時に、上部の第２の加熱部を通じて下部の第１の加熱部により調理している飲食物を加熱できるようにし、前記第１、第２の加熱部が個別的な電源の供給及び遮断により制御されると共に、第２の加熱部が支柱を基準にして上下回転を通じて前記第２の加熱部が温熱機能も遂行できるようにする多用途熱器具に関する。
2017514655.tif 000002
【特許請求の範囲】
【請求項１】
下部の第１の加熱部１００と、前記第１の加熱部１００の上部に所定の空間を有しながら設けられる上部の第２の加熱部２００、及び、前記第１の加熱部１００の一側端と第２の加熱部２００の一側端とを垂直に連結する支柱３００と、で構成される多用途熱器具１０において、
前記第１の加熱部１００は、内部に電気により熱を放出するセラミック、コイル、カーボン、石英管、ＰＴＣ（Ｐｏｓｉｔｉｖｅ  Ｔｅｍｐｅｒａｔｕｒｅ  Ｃｏｅｆｆｉｃｉｅｎｔ）ヒーター、赤外線ランプ、ハロゲンランプの中から択一される第１の胴体１１０と、前記第１の胴体１１０の上部をカバーしながら中央で第１の収容部１１１の底面の中央に内通されるように管型の油排出管１３１が形成される熱伝逹板１３０と、前記熱伝逹板１３０の上部に安着されながら中央に形成された油排出孔１４１の下側の外周端に突き出された油誘導片１４２が形成される調理板１４０、及び、前記熱伝逹板１３０の油排出管１３１の下端に対応されるように、第１の胴体１１０の下側に設けられる油受台１５０で構成され、
前記第２の加熱部２００は、下部が開放されながら、内部にセラミック、コイル、カーボン、石英管、ＰＴＣ（Ｐｏｓｉｔｉｖｅ  Ｔｅｍｐｅｒａｔｕｒｅ  Ｃｏｅｆｆｉｃｉｅｎｔ）ヒーター、赤外線ランプ、ハロゲンランプの中から択一される第２の熱発生部材２２０が収容されるように第２の収容部２１１が形成される第２の胴体２１０と、前記第２の胴体２１０の下部をカバーする保護網２４０で構成され、前記支柱３００は、前記第１の加熱部１００の一側の一面に固定されるように支柱３００の下端に形成された締結孔３０２を通じてボルト５０により固定され、前記第２の加熱部２００の一側の一面に離隔された一対の締結片２０１を通じてヒンジ２０２により結合されるように支柱３００の上端に回転片３０１が形成されて構成されることを特徴とする多用途熱器具。
【請求項２】
前記第１の加熱部１００及び第２の加熱部２００が外部電源を印加し、電源スイッチ１０１により電源を供給または遮断し、電源スイッチにより伝達された電源はタイマー１０２を通じてそれぞれの第１、第２の加熱部１００、２００に備えられた温度調節部１６０、２５０に伝達され、第１の熱発生部材１２０と第２の熱発生部材２３０に熱を発生させることを特徴とする、請求項１に記載の多用途熱器具。
【請求項３】
前記第１の加熱部１００の熱伝逹板１３０がセラミック板または強化ガラス板で形成され、前記調理板１４０が透明強化ガラスで形成されることを特徴とする、請求項１に記載の多用途熱器具。
【請求項４】
前記第１の加熱部１００の第１の胴体１１０の内周面の周りに、内側に突き出された第１の突出帯１１２が形成され、前記第１の突出帯１１２にかかって安着されるように外周面の周りに、外側に突き出された第２の突出帯４０１が形成され、前記第２の突出帯４０１の上側に内周面の周りに、内側に突き出された第３の突出帯４０２が形成されながら第１の加熱部１００の第１の胴体１１０の内部に内属される保護ケース４００が更に備えられることを特徴とする、請求項１に記載の多用途熱器具。
【発明の詳細な説明】
【技術分野】
【０００１】
本発明は、多用途熱器具に関し、より詳しくは、下部の第１の加熱部と上部の第２の加熱部及び前記第１、第２の加熱部の間に空間を形成するように第１の加熱部の一側端と第２の加熱部の一側端とを垂直に連結する支柱で構成され、下部の第１の加熱部を通じて飲食物の調理ができるようにすると同時に、上部の第２の加熱部を通じて下部の第１の加熱部により調理している飲食物を加熱できるようにし、前記第１、第２の加熱部が個別的な電源の供給及び遮断により制御されると共に、第２の加熱部が支柱を基準にして上下回転を通じて前記第２の加熱部が温熱機能も遂行できるようにする多用途熱器具に関する。
【背景技術】
【０００２】
一般的に、肉類などのような飲食物を焼く調理器は、基本的にヒーターを用いて直接または間接の輻射熱で焼くようにするものであって、これまで多くの種類が多様に提案されて広く使われており、加熱する熱源として、炭火と共に、ガス、電気などが使われており、その形態も多様に提供されている。
【０００３】
従来は、炭火やガスの火により飲食物を直接に焼く方式が主に利用されていたが、長時間に亘って調理する場合には、持続的に炭やガスを入れ替えて供給しなければならず、特に、炭は、温度を一定に維持し難い問題があり、ガスは安全性で劣っている問題がある。一方、電気は使用が簡便であり、温度の制御が自由で、安全性が優れているという利点により、最近はこれを用いた調理器が広く普及されている。
【０００４】
一方、前記電気を用いた電気調理器は、電源の供給により加熱されるヒーターの熱を飲食物に直接に伝達して焼く方式と、前記熱を別途の加熱板などを加熱させて、その間接輻射熱で焼く方式に大別される。ここで、前記直接熱伝逹の方式の場合には調理時間を短縮させ得るが、飲食物に直接に熱を加えるので、飲食物に含有されている水分が短時間に蒸発されるので、飲食物の表面と中身が違うように加熱されると共に、栄養素の破壊も激しくなり、結果的には飲食物の味を大きく低下させるようになり、且つ調理された飲食物は短時間に硬化され、消費者の食欲を低下させる問題がある。また、前記水分が短時間に蒸発されることにより、飲食物の表面と中身が違うように加熱され、このような問題を改善するために、最近はハロゲンランプの間接熱を用いて飲食物を調理する方式を採用した伝熱調理器が提案されている。
【０００５】
しかし、従来の調理器として、大韓民国登録特許第０８３３９６６号においては、調理対象体の前面部及び後面部の全体に亘って均一に熱を速かに伝達できない問題が発生されており、これにより調理時間が増加するしかなかった。また、このような問題により、飲食物の上部を加熱できるように別途の加熱部を上部に設置したが、調理器の周辺の使用者が飲食物を切断するか摘む際に、上部に設けられた加熱部により不便が発生され、調理対象体の前面部及び後面部の全体に亘って均一に熱を伝達することで調理対象体の調理時間を従来より減少させることができる構造の開発、及び使用者が容易に飲食物を摘むことができるように便宜性を付け加えるような開発が必要な実情である。
【発明の概要】
【発明が解決しようとする課題】
【０００６】
よって、本発明は、上記のような従来の問題を解決するために案出されたものであって、下部の第１の加熱部と上部の第２の加熱部及び前記第１、第２の加熱部の間に空間を形成するように第１の加熱部の一側端と第２の加熱部の一側端とを垂直に連結する支柱で構成され、飲食物の上部、下部、及び内部を均一に加熱できるようにすることと、前記支持台の上端に連結された第２の加熱部が上部に回転するようにして、高さが高い容器、すなわち、蒸し釜またはやかんなどを使いやすくなるようにすることと、調理器の周辺の使用者が飲食物を容易に調理及び飲食物を容易に摘んで取るようにすると共に、第１、第２の加熱部が個別的な電源の制御により第２の加熱部が温熱機能を遂行することができることと、を目的にしている。
【課題を解決するための手段】
【０００７】
前述した問題を解決するために、次のような実試例を通じて課題を解決しようとする。
【０００８】
上記の目的を達成するための本発明は、下部の第１の加熱部と、前記第１の加熱部の上部に所定の空間を有しながら設けられる上部の第２の加熱部、及び、前記第１の加熱部の一側端と第２の加熱部の一側端とを垂直に連結する支柱で構成される多用途熱器具において、前記第１の加熱部は、内部に電気により熱を放出するセラミック、コイル、カーボン、石英管、ＰＴＣ（Ｐｏｓｉｔｉｖｅ  Ｔｅｍｐｅｒａｔｕｒｅ  Ｃｏｅｆｆｉｃｉｅｎｔ）ヒーター、赤外線ランプ、ハロゲンランプの中から択一される第１の熱発生部材が収容されるように第１の収容部が形成される第１の胴体と、前記第１の胴体の上部をカバーしながら中央で収容部の底面の中央に内通されるように管型の油排出管が形成される熱伝逹板と、前記熱伝逹板の上部に安着されながら中央に形成された油排出孔の下側の外周端に突き出された油誘導片が形成される調理板、及び、前記熱伝逹板の油排出管の下端に対応されるように第１の胴体の下側に設けられる油受台で構成され、前記第２の加熱部は、下部が開放されながら内部にセラミック、コイル、カーボン、石英管、ＰＴＣ（Ｐｏｓｉｔｉｖｅ  Ｔｅｍｐｅｒａｔｕｒｅ  Ｃｏｅｆｆｉｃｉｅｎｔ）ヒーター、赤外線ランプ、ハロゲンランプの中から択一される第２の熱発生部材が収容されるように第２の収容部が形成される第２の胴体と、前記第２の胴体の下部をカバーする保護網で構成され、前記支柱は、前記第１の加熱部の一側の一面に固定されるように支柱の下端に形成された締結孔を通じてボルトにより固定され、前記第２の加熱部の一側の一面に離隔された一対の締結片を通じてヒンジにより結合されるように支柱の上端に回転片が形成されることからなる多用途熱器具を提供する。
【０００９】
一方、前記第１の加熱部１００の熱伝逹板１３０がセラミック板または強化ガラス板で形成され、前記調理板１４０が透明強化ガラスで形成される多用途熱器具１０を提供する。
【発明の効果】
【００１０】
前述したように、本発明の加熱調理器は、本発明は、上記のような従来の問題を解決するために案出されたものであって、下部の第１の加熱部と上部の第２の加熱部及び前記第１、第２の加熱部の間に空間を形成するように第１の加熱部の一側端と第２の加熱部の一側端とを垂直に連結する支柱で構成され、飲食物の上部、下部、及び内部を均一に加熱できると共に、調理時間を短縮させる効果と、前記支持台の上端に連結された第２の加熱部が上部に回転するようにして、高さが高い蒸し釜またはやかんなどを使いやすくなるようにし、調理器の周辺の使用者が飲食物を容易に調理及び容易に摘んで取るようにする利点と、個別的に電源を制御する第１、第２の加熱部により、第１の加熱部は調理用として、第２の加熱部は調理用または温熱用として使える利点を有している。
【図面の簡単な説明】
【００１１】
【図１】本発明に係る多用途熱器具の構造図。
【図２】本発明に係る多用途熱器具の組立分離図。
【図３】本発明に係る多用途熱器具における第２の加熱部−支柱組立図。
【図４】本発明に係る多用途熱器具における第１の加熱部の調理板が熱伝逹板に組立される構造図。
【図５】本発明に係る多用途熱器具における第１の加熱部の構成構造図。
【図６】本発明に係る多用途熱器具における第２の加熱部の構成構造図。
【図７】本発明に係る多用途熱器具における円型の構造を有する多用途熱器具の構造図。
【図８】本発明に係る多用途熱器具における第１、第２の加熱部の電源の供給及び遮断の構造図。
【図９】本発明に係る多用途熱器具における保護ケースが第１の加熱部の第１の胴体に組立される構造図。
【図１０】本発明に係る多用途熱器具における保護ケース−第１の胴体が組立された断面図。
【図１１】本発明により製作された多用途熱器具の一実試例に対する写真イメージ。
【発明を実施するための形態】
【００１２】
上記の目的を達成するために、下記のような実試例を図面を通じて詳しく説明する。
【００１３】
本発明は、図１から図６に示すように、下部の第１の加熱部１００と、前記第１の加熱部１００の上部に所定の空間を有しながら設けられる上部の第２の加熱部２００、及び、前記第１の加熱部１００の一側端と第２の加熱部２００の一側端とを垂直に連結する支柱３００で構成される多用途熱器具１０において、前記第１の加熱部１００は、内部に電気により熱を放出するセラミック、コイル、カーボン、石英管、ＰＴＣ（Ｐｏｓｉｔｉｖｅ  Ｔｅｍｐｅｒａｔｕｒｅ  Ｃｏｅｆｆｉｃｉｅｎｔ）ヒーター、赤外線ランプ、ハロゲンランプの中から択一される第１の熱発生部材１２０が収容されるように第１の収容部１１１が形成される第１の胴体１１０と、前記第１の胴体１１０の上部をカバーしながら中央で第１の収容部１１１の底面の中央に内通されるように管型の油排出管１３１が形成される熱伝逹板１３０と、前記熱伝逹板１３０の上部に安着されながら中央に形成された油排出孔１４１の下側の外周端に突き出された油誘導片１４２が形成される調理板１４０、及び、前記熱伝逹板１３０の油排出管１３１の下端に対応されるように、第１の胴体１１０の下側に設けられる油受台１５０で構成され、前記第２の加熱部２００は、下部が開放されながら、内部にセラミック、コイル、カーボン、石英管、ＰＴＣ（Ｐｏｓｉｔｉｖｅ  Ｔｅｍｐｅｒａｔｕｒｅ  Ｃｏｅｆｆｉｃｉｅｎｔ）ヒーター、赤外線ランプ、ハロゲンランプの中から択一される第２の熱発生部材２２０が収容されるように第２の収容部２１１が形成される第２の胴体２１０と、前記第２の胴体２１０の下部をカバーする保護網２４０で構成され、前記支柱３００は、前記第１の加熱部１００の一側の一面に固定されるように支柱３００の下端に形成された締結孔３０２を通じてボルト５０により固定され、前記第２の加熱部２００の一側の一面に離隔された一対の締結片２０１を通じてヒンジ２０２により結合されるように支柱３００の上端に回転片３０１が形成されることからなる多用途熱器具１０を提供する。
【００１４】
図２及び図５に示すように、前記第１の加熱部１００は、第１の熱発生部材１２０を収容するように第１の収容部１１１が形成された第１の胴体１１０を構成し、前記第１の胴体１１０の第１の収容部１１１に備えられた第１の熱発生部材１２０は、セラミック、コイル、カーボン、石英管、ＰＴＣ（Ｐｏｓｉｔｉｖｅ  Ｔｅｍｐｅｒａｔｕｒｅ  Ｃｏｅｆｆｉｃｉｅｎｔ）ヒーター、赤外線ランプ、ハロゲンランプの中から択一されて熱を発生させるようになり、前記第１の熱発生部材１２０により発生された熱が伝達されるように前記第１の胴体１１０の上部をカバーして一体に備えられる熱伝逹板１３０を通じて熱が伝達されるようになる。
【００１５】
尚、図２及び図４に示すように、前記熱伝逹板１３０は、中央が通孔になり、前記通孔になった熱伝逹板１３０の下側に通孔と垂直に延長される管型の油排出管１３１が形成されながら、前記油排出管１３１の末端が第１の収容部１１１の底面を内通して形成される。
【００１６】
尚、図２及び図４に示すように、前記第１の加熱部１００の第１の胴体１１０の下側に油受台１５０が備えられ、これは前記熱伝逹板１３０の油排出管１３１を通じて油などの異物が流入され、排出されて収集されるように油排出管１３１の下端に対応される第１の胴体１１０の下側に容器の形態の油受台１５０が備えられる。
【００１７】
さらに、図４に示すように、前記熱伝逹板１３０の上部に備えられる調理板１４０は、中央に形成された油排出孔１４１の下側の外周端に突き出された油誘導片１４２が形成され、前記油誘導片１４２が前記熱伝逹板１３０の油排出管１３１に内属され、調理板１４０の上面に調理される飲食物の異物が油排出孔１４１を通じて流入され、熱伝逹板１３０の油排出管１３１を通じて油受台１５０に収集されるように提供される。
【００１８】
尚、図２及び図６に示すように、前記第２の加熱部２００は、第２の胴体２１０の第２の収容部２１１に備えられる第２の熱発生部材２３０により熱を発生させ、第２の加熱部２００と対応される第１の加熱部１００に熱を放出し、第１の加熱部１００の調理板１４０に飲食物の調理ができるように提供され、この際、前記第２の加熱部２００には第２の熱発生部材２３０を通じて発生される熱を反射させる反射板２２０と、使用者の安全だけではなく第２の熱発生部材２３０を支持する保護網２４０が備えられて提供される。
【００１９】
また、図２及び図３に示すように、前記第１の加熱部１００と第２の加熱部２００との間の一定の空間を維持すると同時に、第２の加熱部２００の上下回転を誘導する支柱３００が備えられ、前記支柱３００の下端の一面に形成された締結孔３０２を通じて第１の加熱部１００の一側の一面に支柱３００の下端が固定されるようにし、前記支柱３００の上端に形成された回転片３０１が第２の加熱部２００の一側の一面に離隔された一対の締結片２０１の間に結束され、ヒンジ２０２により互いに連結して組立されて第２の加熱部２００が上下に移動されるように提供される。
【００２０】
つまり、前記支柱３００の上端に形成された回転片３０１の左右面が内通されるように通孔が形成され、前記第２の加熱部２００の一側の一面に離隔された一対の締結片２０１のそれぞれの左右面が内通された通孔が形成され、前記一対の締結片２０１の間に回転片３０１が結束され、それぞれの通孔が連通されるようにし、ヒンジ２０２を連通された通孔に内属させ、第２の加熱部２００が支柱３００を基準にして上下に回転するように提供される。
【００２１】
尚、図８に示すように、前記第１の加熱部１００及び第２の加熱部２００が外部電源（未図示）を印加し、電源スイッチ１０１によりタイマー１０２を通じてそれぞれの第１、第２の加熱部１００、２００に備えられた温度調節部１６０、２５０と連携され、第１の熱発生部材１２０と第２の熱発生部材２３０に熱を発生させるようになり、前記電源スイッチ１０は、第１、第２の加熱部１００、２００が水平状態または一部衝撃により倒れることなどにより電源が直ちに遮断されるリミットスイッチが適用されることが望ましく、前記外部電源を通じて、電源スイッチ１０１を通じて電源を供給し、タイマー１０２に電源を伝達するようになり、この際、前記タイマー１０２は、調理時間を調節することで調整され、調整された時間が合わせて調理時間を調節し、タイマー１０２の調整時間が終わると自動に電源を遮断し、第１、第２の加熱部１００、２００の第１、第２の熱発生部材１２０、２３０への電源を遮断する。
【００２２】
このように、タイマー１０２を通じて電源を第１、第２の加熱部１００、２００にそれぞれ備えられた温度調節部１６０、２５０に供給するようになり、この際、第１の加熱部１００の第１の熱発生部材１２０と第２の加熱部２００の第２の熱発生部材２３０が個別的な電源の供給及び遮断が行われるように温度調節部１６０、２５０を有するようになり、調節された適正の温度に温度調節部１６０、２５０を合わせて、この適正の温度に従って、適正の温度を超過すれば電源を遮断、または適正の温度の未満になれば電源を供給する作動構造により温度調節部１６０、２５０から電源が制御されるように提供される。
【００２３】
尚、前記外部電源、電源スイッチ１０１、タイマー１０２、温度調節部１６０、２５０、及び第１、第２の熱発生部材１２０、２３０へ電源を供給することは、互いに電源ケーブル（未図示）で連結されて電源を供給するようにするものであることは自明である。
【００２４】
このように、第１、第２の加熱部１００、２００により構成された多用途熱器具１０は、調理用の外に、温熱用として使われるように発明されたものであって、それぞれの個別的な電源供給制御方式で、第１の加熱部１００は調理用として、第２の加熱部２００は調理または温熱用として使われ、前記第２の加熱部２００は、支柱３００を通じて上下に回転して調理した後、第１の加熱部１００の調理板１４０に飲食物を容易に摘むことができると同時に、第２の加熱部２００の第２の熱発生部材２３０を通じて周辺の環境を暖かく維持するようにする温熱機能として使われ、前記第２の加熱部２００の締結片２０１と支柱３００の回転片３０１がヒンジ２０２により上下回転できるように角度調節をし、第２の加熱部２００の第２の熱発生部材２３０による熱の発生により、指定された位置に熱を発散する温熱機能を有するようにする。
【００２５】
また、前記第１、第２の加熱部１００、２００が四面体の構造を有しているが、これに限定されず、図７に示すように、第１、第２の加熱部の形態が円型の構造など、多角形の形態に製作され得るように提供される。
【００２６】
さらに、前記第１の加熱部１００の熱伝逹板１３０がセラミック板または強化ガラス板により形成され、前記調理板１４０が透明強化ガラスにより形成される多用途熱器具１０を提供する。
【００２７】
前記第１の加熱部１００の第１の熱発生部材１２０により放出される熱の伝達を受ける熱伝逹板１３０が迅速に熱の伝達を受ける材質であって、セラミック板または強化ガラス板を使うようになり、このように熱の伝達を受けた熱伝逹板１３０が調理板１４０に迅速に熱を伝達できるように、透明強化ガラスの材質からなるように提供される。
【００２８】
また、図９及び図１０に示すように、前記第１の加熱部１００の第１の胴体１１０の内周面の周りに、内側に突き出された第１の突出帯１１２が形成され、前記第１の突出帯１１２にかかって安着されるように、外周面の周りに、外側に突き出された第２の突出帯４０１が形成され、前記第２の突出帯４０１の上側に、内周面の周りに、内側に突き出された第３の突出帯４０２が形成され、第１の加熱部１００の第１の胴体１１０の内部に内属される保護ケース４００が更に備えられる多用途熱器具１０が提供される。
【００２９】
前記保護ケース４００の内部に第１の熱発生部材１２０が収容されるように第３の収容部４０３を有し、内部の底面の中央に熱遮断板１３０の油排出管１３１が内属されるように通孔が形成され、前記保護ケース４００の第２の突出帯４０１は、第１の加熱部１００の第１の胴体１１０の内側に形成された第１の突出帯１１２に遮断され、第１の突出帯１１２の上部に第２の突出帯４０１が面接され、保護ケース４００が第１の胴体１１０の下部に下降または離脱されることを遮断するようになる。これは、前記保護ケース４００の第３の収容部４０３に収容された第１の熱発生部材１２０の熱放出により、第１の加熱部１００の第１の胴体１１０の底部及び第１の胴体１１０の外側に熱が放出されることを防止するようになることで、保護ケース４００の底面と第１の胴体１１０の底面との間に空間を形成して、熱がこれ以上第１の胴体１１０の下部及び外部に放出されることを遮断するようになる。
【００３０】
尚、前記保護ケース４００の第３の収容部４０３に第１の熱発生部材１２０を収容することで、第１の熱発生部材１２０の故障または入れ替えが容易になるように、保護ケース４００を第１の胴体１１０から容易に脱着可能にする。
【００３１】
また、前記保護ケース４００の内周面の内側に第３の突出帯４０２が形成され、前記保護ケース４００の上部に熱遮断板１３０を安着する際、第３の突出帯４０２により熱遮断板１３０の周り、即ち、外側面が第３の突出帯４０２により断続され、保護ケース４００の内部の下部に離脱されることを防止すると共に、熱遮断板１３０を容易に脱着可能な組立構造を有するように提供する。
【００３２】
上記の実試例を通じて説明したように、多用途熱器具は、多様に設計変更して製作できるものであって、常に実試例を通じてその原理を本発明の構成に限定して製作し、その原理を通じた器具においては通常の知識を持った者が設計変更して容易に製作できるのは自明である。
【符号の説明】
【００３３】
１０：多用途調理器
１００：第１の加熱部
１０１：電源スイッチ
１０２：タイマー
１１０：第１の胴体
１１１：第１の収容部
１１２：第１の突出帯
１２０：第１の熱発生部材
１３０：熱伝逹板
１３１：油排出管
１４０：調理板
１４１：油排出孔
１４２：油誘導片
１５０：油受台
２００：第２の加熱部
２０１：締結片
２０２：ヒンジ
２１０：第２の収容部
２２０：反射板
２３０：第２の熱発生部材
２４０：保護網
３００：支柱
３０１：回転片
３０２：締結孔
４００：保護ケース
４０１：第２の突出帯
４０２：第３の突出帯
４０３：第３の収容部
【図１】
2017514655.tif 000003
【図２】
2017514655.tif 000004
【図３】
2017514655.tif 000005
【図４】
2017514655.tif 000006
【図５】
2017514655.tif 000007
【図６】
2017514655.tif 000008
【図７】
2017514655.tif 000009
【図８】
2017514655.tif 000010
【図９】
2017514655.tif 000011
【図１０】
2017514655.tif 000012
【図１１】
2017514655.tif 000013
【国際調査報告】
2017514655.tif 000014
2017514655.tif 000015
2017514655.tif 000016
2017514655.tif 000017